(57)【特許請求の範囲】
【請求項１】
（ａ）複数個のレンズから成るレンズアレイを有し、複数本の並列な光ファイバ心線から成る光ファイバアレイの端部に接続される光コネクタであって、
（ｂ）前記レンズアレイを保持するレンズホルダと、
（ｃ）該レンズホルダと一体的に形成され、前記レンズアレイと反対側に突出し、前記光ファイバ心線及び該光ファイバ心線の先端から突出する光ファイバを保持するファイバ保持部と、
（ｄ）該ファイバ保持部に光ファイバを固定する固定プレートと、
（ｅ）前記ファイバ保持部に光ファイバ心線を固定する心線固定部材とを有し、
（ｆ）前記レンズホルダは、前記固定プレートが嵌入される嵌合部を備え、
（ｇ）前記ファイバ保持部は前記心線固定部材が係合される係合部を備えること特徴とする光コネクタ。
【請求項２】
（ａ）前記嵌合部は、前記レンズホルダと一体的に形成され、前記レンズアレイと反対側に突出する天板部を備え、
（ｂ）前記固定プレートは、先端が前記ファイバ保持部の上面と天板部の下面との間に嵌入される請求項１に記載の光コネクタ。
【請求項３】
（ａ）前記ファイバ保持部は、前記レンズホルダに接続される部分の上面に形成された断面Ｖ字状のファイバ収容溝を備え、
（ｂ）前記固定プレートは、各光ファイバを対応するファイバ収容溝の面に押付ける請求項２に記載の光コネクタ。
【請求項４】
（ａ）前記係合部は前記ファイバ保持部の両側に突出し、
（ｂ）前記心線固定部材は、前記係合部に係合され、前記光ファイバ心線をファイバ保持部の上面に押付ける請求項１に記載の光コネクタ。
【請求項５】
前記心線固定部材は、長手方向の両端において前記係合部に係合される請求項４に記載の光コネクタ。
【請求項６】
前記心線固定部材は、前記固定プレートの上面に係合する係合突起を備える請求項５に記載の光コネクタ。
【発明の詳細な説明】
【技術分野】
【０００１】
本発明は、光コネクタに関するものである。
【背景技術】
【０００２】
従来、光通信等に使用される光コネクタにおいては、フラットケーブル状の光ファイバアレイ同士を接続するために、レンズアレイを結合した光コネクタが使用されている（例えば、特許文献１参照。）。
【０００３】
図１１は従来の光コネクタを示す斜視図である。
【０００４】
図において、３０１は、光ファイバアレイ３０４の端部に接続された光コネクタであり、合成樹脂製のコネクタボディ３０５を有する。前記光ファイバアレイ３０４の端部はコネクタボディ３０５内にインサート成形され、コネクタボディ３０５の先端面には光ファイバアレイ３０４を構成する各光ファイバ３０６の先端面が露出している。また、コネクタボディ３０５の両端部には、金属製のガイドピン３０７を挿入するためのガイド孔（あな）３０８が形成されている。さらに、３０３は光コネクタ用レンズアレイであり、両側にガイドピン３０７が挿入されるピン保持部３１０を備え、中央部に複数のレンズから成るレンズアレイ３１１を備える。
【０００５】
そして、前記光コネクタ３０１を接続するときは、一方のコネクタボディ３０５のガイド孔３０８にガイドピン３０７を半分挿入する。次に、ピン保持部３１０にガイドピン３０７を挿入し、更に他方のコネクタボディ３０５のガイド孔３０８にガイドピン３０７の半分を挿入して、各コネクタボディ３０５と光コネクタ用レンズアレイ３０３の一部を当接させることによって接続する。また、接続された光コネクタ３０１は、クリップ部材３０２によって挟込まれることによって結合される。
【特許文献１】特開２００３−１０７２７７号公報
【発明の開示】
【発明が解決しようとする課題】
【０００６】
しかしながら、前記従来の光コネクタ３０１においては、光ファイバアレイ３０４の端部をコネクタボディ３０５内にインサート成形するようになっているので、光コネクタ３０１の製造工程が複雑で時間のかかるものになってしまう。また、各光ファイバ３０６の中心軸とレンズアレイ３１１の各レンズの中心軸とを高い位置精度で位置決めするためには、ガイドピン３０７、ガイド孔３０８及びピン保持部３１０を高い位置精度で製造する必要があり、製造コストが高くなってしまう。
【０００７】
本発明は、前記従来の問題点を解決して、光ファイバ心線及び該光ファイバ心線先端から突出する光ファイバを保持するファイバ保持部、該ファイバ保持部に光ファイバを固定する固定プレートが嵌（かん）入される嵌合部、及び、前記ファイバ保持部に光ファイバ心線を固定する心線固定部材が係合される係合部をレンズホルダと一体的に形成することによって、光ファイバアレイの取付け及びレンズアレイとの位置決めを容易に、かつ、高い位置精度で行うことができ、簡単な製造工程で容易に製造することができる光コネクタを提供することを目的とする。
【課題を解決するための手段】
【０００８】
そのために、本発明の光コネクタにおいては、複数個のレンズから成るレンズアレイを有し、複数本の並列な光ファイバ心線から成る光ファイバアレイの端部に接続される光コネクタであって、前記レンズアレイを保持するレンズホルダと、該レンズホルダと一体的に形成され、前記レンズアレイと反対側に突出し、前記光ファイバ心線及び該光ファイバ心線の先端から突出する光ファイバを保持するファイバ保持部と、該ファイバ保持部に光ファイバを固定する固定プレートと、前記ファイバ保持部に光ファイバ心線を固定する心線固定部材とを有し、前記レンズホルダは、前記固定プレートが嵌入される嵌合部を備え、前記ファイバ保持部は前記心線固定部材が係合される係合部を備える。
【０００９】
本発明の他の光コネクタにおいては、さらに、前記嵌合部は、前記レンズホルダと一体的に形成され、前記レンズアレイと反対側に突出する天板部を備え、前記固定プレートは、先端が前記ファイバ保持部の上面と天板部の下面との間に嵌入される。
【００１０】
本発明の更に他の光コネクタにおいては、さらに、前記ファイバ保持部は、前記レンズホルダに接続される部分の上面に形成された断面Ｖ字状のファイバ収容溝を備え、前記固定プレートは、各光ファイバを対応するファイバ収容溝の面に押付ける。
【００１２】
本発明の更に他の光コネクタにおいては、さらに、前記係合部は前記ファイバ保持部の両側に突出し、前記心線固定部材は、前記係合部に係合され、前記光ファイバ心線をファイバ保持部の上面に押付ける。
【００１３】
本発明の更に他の光コネクタにおいては、さらに、前記心線固定部材は、長手方向の両端において前記係合部に係合される。
【００１４】
本発明の更に他の光コネクタにおいては、さらに、前記心線固定部材は、前記固定プレートの上面に係合する係合突起を備える。
【発明の効果】
【００１５】
本発明によれば、光コネクタは、光ファイバ心線及び該光ファイバ心線先端から突出する光ファイバを保持するファイバ保持部、該ファイバ保持部に光ファイバを固定する固定プレートを嵌入する嵌合部、及び、前記ファイバ保持部に光ファイバ心線を固定する心線固定部材を係合する係合部がレンズホルダと一体的に形成されている。そのため、光ファイバアレイの取付及びレンズアレイとの位置決めを容易に、かつ、高い位置精度で行うことができ、簡単な製造工程で容易に製造することができる。
【発明を実施するための最良の形態】
【００１６】
以下、本発明の実施の形態について図面を参照しながら詳細に説明する。
【００１７】
図１は本発明の実施の形態における光コネクタを示す斜視図である。
【００１８】
図において、１０は本実施の形態における光コネクタであり、複数本（図示される例においては４本）の並列な光ファイバ心線４２から成る光ファイバアレイ４１の端部に接続され、相手側コネクタに接続される。なお、該相手側コネクタは、光コネクタ１０と同一種類のコネクタであってもよいし、例えば、受光素子又は発光素子を備え、基板に固定されたヘッダーコネクタのような光コネクタ１０と相違する種類のコネクタであってもよい。
【００１９】
また、本実施の形態においては、光伝送路としてのベア（Ｂａｒｅ：被覆のない）ファイバに保護被覆層を被覆した線状体を「光ファイバ心線」と呼び、「光ファイバ心線」から保護被覆層を除去した状態の線状体、すなわち、ベアファイバ又はベアファイバに相当するファイバを「光ファイバ」と呼ぶものとする。
【００２０】
さらに、本実施の形態において、光コネクタ１０及び該光コネクタ１０に含まれる各部材の構成及び動作を説明するために使用される上、下、左、右、前、後等の方向を示す表現は、絶対的なものでなく相対的なものであり、光コネクタ１０及び該光コネクタ１０に含まれる各部材が図に示される姿勢である場合に適切であるが、光コネクタ１０及び光コネクタ１０に含まれる各部材の姿勢が変化した場合には姿勢の変化に応じて変更して解釈されるべきものである。
【００２１】
ここで、前記光コネクタ１０は、レンズホルダ１１、後述される光ファイバ４３を固定するために前記レンズホルダ１１に取付けられた固定プレート２１、及び、光ファイバ心線４２を固定するために前記レンズホルダ１１に取付けられた心線固定部材３１を有する。そして、前記レンズホルダ１１、固定プレート２１及び心線固定部材３１は、例えば、ＰＢＴ（ポリブチレンテレフタレート）、ＰＣ（ポリカーボネイト）、ＬＣＰ（液晶ポリマー）、ＰＰＳ（ポリフェニルスルフィド）、ポリアミド、ＰＥＥＫ（ポリエーテルエーテルケトン）等のプラスチックから成り、射出成形等の方法によって一体成形されている。なお、図１に示される他の符号については後述する。
【００２２】
次に、前記レンズホルダ１１の構成について説明する。
【００２３】
図２は本発明の実施の形態における光コネクタのレンズホルダを示す斜視図、図３は本発明の実施の形態における光コネクタのレンズホルダを示す六面図、図４は本発明の実施の形態における光コネクタのレンズホルダに光ファイバアレイを取付けた状態を示す斜視図である。なお、図３において（ａ）は正面図、（ｂ）は上面図、（ｃ）は下面図、（ｄ）は左側面図、（ｅ）は右側面図、（ｆ）は背面図である。
【００２４】
図２及び３に示されるように、レンズホルダ１１は、矩（く）形の板状部材であるホルダ本体部１２、該ホルダ本体部１２の一部であって前面から前方に突出する本体前方部１２ａ、及び、該本体前方部１２ａの前面に形成された凹部内に配設され、複数（図示される例においては４個）の凸レンズ、凹レンズ、コリメートレンズ等のレンズ１３ａを備えるレンズアレイ１３を有する。前記レンズ１３ａのピッチは、例えば、０．５〔ｍｍ〕程度である。この場合、レンズアレイ１３が凹部内に配設されているので、レンズ１３ａは本体前方部１２ａの前面より前方に突出しないようになっている。すなわち、本体前方部１２ａは、レンズアレイ１３の周囲を取囲み、レンズ１３ａよりも前方に突出するように形成されている。そのため、光コネクタ１０を相手側コネクタと接続した際には、本体前方部１２ａの前面が相手側コネクタの本体前方部の前面と当接し、レンズ１３ａから相手側コネクタのレンズまでの距離が規定される。すなわち、本体前方部１２ａはレンズ１３ａの焦点距離を調整するための焦点距離調整部材として機能し、本体前方部１２ａの前面の前方への突出量を調整することによってレンズ１３ａの焦点距離を調整することができる。
【００２５】
なお、前記レンズアレイ１３は、ホルダ本体部１２と一体的に形成されたものであってもよいし、ホルダ本体部１２とは別個に形成されてホルダ本体部１２に取付けられたものであってもよい。また、該ホルダ本体部１２は、前方に突出する棒状のガイドピン１４ａ、及び、図示されない相手側コネクタのガイドピンが挿入される貫通孔（こう）としてのガイド孔１４ｂを備える。前記ガイドピン１４ａは、ホルダ本体部１２と一体的に形成されたものであってもよいし、ホルダ本体部１２とは別個に形成されてホルダ本体部１２に取付けられたものであってもよい。
【００２６】
また、レンズホルダ１１のホルダ本体部１２の後面には、レンズアレイ１３と反対側、すなわち、後方に突出して光ファイバ心線４２及び光ファイバ４３を保持するファイバ保持部１５が一体的に形成されている。該ファイバ保持部１５は、ホルダ本体部１２寄りの部分であって、光ファイバ４３を保持する幅広の部分である前方部１６、及び、ホルダ本体部１２から離れた部分であって、光ファイバ心線４２を保持する幅狭の部分である後方部１８から成る。なお、ホルダ本体部１２の前端から後方部１８の後端までの長さは、例えば、２０〔ｍｍ〕程度である。
【００２７】
そして、前記前方部１６は、レンズホルダ本体部１２に接続される部分であって各光ファイバ４３の位置を規制する位置規制部１６ａ、該位置規制部１６ａに形成された前後方向に延在する断面Ｖ字状の溝であって各々が各光ファイバ４３を収容する複数本（図示される例においては４本）のファイバ収容溝１６ｂ、及び、両側に一体的に形成され、後述される心線固定部材３１が係合される係合部としての前方部係合突起１６ｃを備える。なお、前記ファイバ収容溝１６ｂがホルダ本体部１２の後面に当接する位置は、前記ファイバ収容溝１６ｂ内に収容した光ファイバ４３の前端面の中心（つまり、光が伝搬する図示しないコア部）とレンズアレイ１３のレンズ１３ａの中心と対応するように設けられている。また、前記後方部１８は、前後方向に延在するように両側に一体的に形成され、心線固定部材３１が係合される係合部としての係合凸条１８ａを備える。なお、前記後方部１８の上面は、前方部１６の上面と連続し、光ファイバ心線４２が載置される載置面として機能する。
【００２８】
また、前記ホルダ本体部１２の後面には、前方部１６がホルダ本体部１２の後面に接続される接続部の周囲を覆うような形状を備え、固定プレート２１が嵌入される嵌合部１７が一体的に形成されている。該嵌合部１７は、前方部１６の位置規制部１６ａの上方において後方に突出する天板部１７ａ、及び、該天板部１７ａの両側と位置規制部１６ａの両側とを連結する２枚の側板部１７ｂを備える。そして、固定プレート２１が嵌入される概略矩形の嵌入孔１７ｃは、位置規制部１６ａ、天板部１７ａ及び側板部１７ｂによって周囲を画定される。なお、嵌入孔１７ｃの奥側、すなわち、前方の端部はホルダ本体部１２の後面によって画定される。
【００２９】
そして、前記ファイバ保持部１５には、図４に示されるようにして、光ファイバアレイ４１が載置される。ここで、該光ファイバアレイ４１は、各光ファイバ心線４２の先端から所定長さの範囲の保護被覆層が除去され、光ファイバ４３を露出させた状態になっている。すなわち、該光ファイバ４３は、先端から所定長さの範囲だけ、光ファイバ心線４２の前方に突出した状態となっている。なお、光ファイバ４３は、シングルモードファイバであってもよいし、マルチモードファイバであってもよく、また、石英から成る石英系ファイバであってもよいし、アクリル樹脂、フッ素樹脂等のポリマーから成るプラスチック系ファイバであってもよい。また、光ファイバ心線４２の保護被覆層は、例えば、アクリル樹脂、ポリエチレン樹脂、塩化ビニル樹脂、ポリアミド樹脂等であるが、光ファイバ４３を物理的及び化学的に保護することができる材料であればいかなる種類の材料から成るものであってもよい。なお、前記光ファイバ４３の外径は、例えば、１２５〔μｍ〕程度であるが、任意に設定することができ、また、光ファイバ心線４２の保護被覆層の外径は、例えば、２５０〔μｍ〕程度であるが、任意に設定することができる。図４に示される状態において、各光ファイバ４３の前端から所定範囲はファイバ収容溝１６ｂ内に収容されている。また、各光ファイバ４３の前端面は、各レンズ１３ａに対応するホルダ本体部１２の後面に密着していることが望ましい。
【００３０】
次に、前記固定プレート２１の構成及び機能について説明する。
【００３１】
図５は本発明の実施の形態における光コネクタの固定プレートを示す六面図、図６は本発明の実施の形態における光コネクタのレンズホルダに固定プレートを取付ける動作を示す第１の斜視図、図７は本発明の実施の形態における光コネクタのレンズホルダに固定プレートを取付ける動作を示す第２の斜視図である。なお、図５において（ａ）は正面図、（ｂ）は上面図、（ｃ）は下面図、（ｄ）は左側面図、（ｅ）は右側面図、（ｆ）は背面図である。
【００３２】
図５に示されるように、固定プレート２１は、概略Ｔ字状の板状部材であり、幅狭の前半部２２及び幅広の後半部２３から成る。前記前半部２２は、幅方向の寸法が嵌合部１７の２枚の側板部１７ｂの間の寸法とほぼ等しく、先端が嵌入孔１７ｃ内に嵌入される。そのため、前半部２２の先端上縁には、テーパ面２２ａが形成され、嵌入孔１７ｃ内に容易に進入することができるようになっている。また、前半部２２の厚さ寸法は、ファイバ収容溝１６ｂ内に収容された光ファイバ４３の上面から天板部１７ａの下面までの寸法とほぼ等しく、前半部２２の先端が嵌合部１７の嵌入孔１７ｃ内に嵌入されることによって、前半部２２の下面が光ファイバ４３をファイバ収容溝１６ｂに押付けるようになっている。なお、後半部２３の下面も、前半部２２の下面と同一面を形成する平面になっているので、光ファイバ４３をファイバ収容溝１６ｂに押付ける機能を奏する。
【００３３】
また、後半部２３の両側には下方に突出する側板部２３ａが一体的に形成され、ファイバ保持部１５の前方部１６を両側から挟込むようになっている。さらに、後半部２３の上面における後端よりの部分には、心線固定部材３１と係合する係合凹部２３ｂが形成されている。なお、前半部２２の先端から後半部２３の後端までの長さは、位置規制部１６ａの長さとほぼ等しい。
【００３４】
そして、レンズホルダ１１に固定プレート２１を取付ける場合、まず、図４に示される状態のようにして光ファイバアレイ４１が載置されたファイバ保持部１５の前方部１６の上に、固定プレート２１を載置する。この場合、後半部２３が位置規制部１６ａよりも後方に位置し、側板部２３ａが前方部１６を両側から挟込むようにする。これにより、図６に示されるような状態になる。
【００３５】
続いて、レンズホルダ１１に対して固定プレート２１を前進させ、前半部２２の先端を嵌入孔１７ｃ内に嵌入させ、図７に示されるような状態にする。この状態において、前半部２２及び後半部２３の下面が光ファイバ４３を断面Ｖ字状の溝であるファイバ収容溝１６ｂの面に押付けるようになっている。そのため、各光ファイバ４３の上下及び左右方向の位置決めが行われる。この場合、前半部２２の先端から後半部２３の後端までの長さが位置規制部１６ａの長さとほぼ等しいので、ファイバ収容溝１６ｂの全長に亘（わた）って光ファイバ４３の位置決めが行われる。
【００３６】
また、レンズホルダ１１と固定プレート２１との間に接着剤を充填（てん）させることが望ましい。これにより、レンズホルダ１１、固定プレート２１及び光ファイバ４３が強固に固定される。また、屈折率が適切に調整された接着剤を使用することによって、接着剤が屈折率整合部材として機能するので、例えば、光ファイバ４３の前端面とホルダ本体部１２の後面との間に間隙（げき）が生じている場合であっても、該間隙に接着剤が充填されることによって、光の反射を防止することができる。
【００３７】
次に、前記心線固定部材３１の構成及び機能について説明する。
【００３８】
図８は本発明の実施の形態における光コネクタの心線固定部材を示す六面図、図９は本発明の実施の形態における光コネクタのレンズホルダに心線固定部材を取付ける動作を示す第１の斜視図、図１０は本発明の実施の形態における光コネクタのレンズホルダに心線固定部材を取付ける動作を示す第２の斜視図である。なお、図８において（ａ）は正面図、（ｂ）は上面図、（ｃ）は下面図、（ｄ）は左側面図、（ｅ）は右側面図、（ｆ）は背面図である。
【００３９】
図８に示されるように、心線固定部材３１は、断面がコ字状の細長い筒状部３２、及び、該筒状部３２の上面の先端縁に一体的に形成され、固定プレート２１の係合凹部２３ｂと係合する係合突起としての係合舌部３３を有する。そして、前記筒状部３２の両側には、前後方向に延在し、下方に突出する側板部３４が一体的に形成され、ファイバ保持部１５の後方部１８を両側から挟込むようになっている。さらに、側板部３４の後端寄りの部分には、前後方向に延在し、内側に突出する下板部３６が一体的に形成され、前記筒状部３２の天板及び側板部３４とともに、前後方向に延在する係合凹溝３７を画定する。左右の係合凹溝３７は、後方部１８の左右に形成されている係合凸条１８ａと各々係合する。
【００４０】
そして、筒状部３２の天板の裏面における後端寄りの部分には、前後方向に延在し、各々が光ファイバ心線４２を収容する複数本（図示される例においては４本）の心線収容溝３８が形成されている。また、側板部３４の先端部には、前後方向に延在する係合スリット３５が形成されている。該係合スリット３５は、ファイバ保持部１５の前方部１６に形成されている前方部係合突起１６ｃと係合する。
【００４１】
そして、レンズホルダ１１に心線固定部材３１を取付ける場合、まず、図７に示される状態のようにして光ファイバ４３が固定プレート２１によって固定されたファイバ保持部１５の後方部１８の上に、心線固定部材３１を載置する。この場合、下板部３６が後方部１８の後端よりも後方に位置し、側板部３４が後方部１８を両側から挟込んでいるが、係合凹溝３７は係合凸条１８ａと係合してない。また、各心線収容溝３８には、光ファイバ心線４２が収容されている。これにより、図９に示されるような状態になる。
【００４２】
続いて、レンズホルダ１１に対して心線固定部材３１を前進させ、ファイバ保持部１５の前方部１６に形成されている前方部係合突起１６ｃを係合スリット３５内に進入させ、図１０に示されるような状態にする。なお、図１０は斜め下方から観た状態を示す図であり、同じ状態を斜め上方から観ると図１に示されるようになる。この状態において、光ファイバ心線４２は、後方部１８の上面と筒状部３２の天板の裏面とによって挟込まれることにより、固定される。この場合、筒状部３２の前端において左右の係合スリット３５が前方部係合突起１６ｃと係合し、筒状部３２の後端において左右の係合凹溝３７が係合凸条１８ａと係合するので、光ファイバ心線４２は筒状部３２の天板によって、全体的に均一に後方部１８に対して押付けられた状態となり、安定的に固定される。また、筒状部３２の後端寄りの部分に形成された心線収容溝３８内に収容されているので、光ファイバ心線４２同士のピッチが一定に維持される。
【００４３】
さらに、係合舌部３３が係合凹部２３ｂと係合するので、固定プレート２１の後半部２３は、係合舌部３３によって上方から前方部１６の上面に押付けられる。そのため、筒状部３２の上下方向の動きが規制される。また、筒状部３２の天板の前端面が後半部２３の後端面に当接した状態となるので、固定プレート２１の前後方向の動きが規制される。そのため、固定プレート２１は、心線固定部材３１によって動きが規制され、レンズホルダ１１から外れることがない。
【００４４】
また、該レンズホルダ１１と心線固定部材３１との間に接着剤を充填させることが望ましい。これにより、レンズホルダ１１、心線固定部材３１及び光ファイバ心線４２が強固に固定される。
【００４５】
このように、本実施の形態において、光コネクタ１０は、レンズアレイ１３を保持するレンズホルダ１１と、該レンズホルダ１１のレンズホルダ本体部１２と一体的に形成され、レンズアレイ１３と反対側に突出し、光ファイバ心線４２及び該光ファイバ心線４２の先端から突出する光ファイバ４３を保持するファイバ保持部１５と、該ファイバ保持部１５の前方部１６に光ファイバ４３を固定する固定プレート２１とを有し、レンズホルダ本体部１２は、固定プレート２１が嵌入される嵌合部１７を備える。そのため、光ファイバアレイ４１の取付け及び光ファイバ４３とレンズアレイ１３との位置決めを容易に、かつ、高い位置精度で行うことができる。そして、簡単な製造工程で容易に光コネクタ１０を製造することができる。
【００４６】
また、嵌合部１７は、レンズホルダ本体部１２と一体的に形成され、レンズアレイ１３と反対側に突出する天板部１７ａを備え、固定プレート２１は、先端が前方部１６の上面と天板部１７ａの下面との間に嵌入される。そのため、固定プレート２１を容易に、かつ、正確に取付けることができ、光ファイバ４３を正確に位置決めすることができる。
【００４７】
さらに、前方部１６は、レンズホルダ本体部１２に接続される部分である位置規制部１６ａの上面に形成された断面Ｖ字状のファイバ収容溝１６ｂを備え、固定プレート２１は、各光ファイバ４３を対応するファイバ収容溝１６ｂの面に押付ける。そのため、各光ファイバ４３の上下及び左右方向の位置決めが行われる。
【００４８】
さらに、光コネクタ１０は、ファイバ保持部１５の後方部１８に光ファイバ心線４２を固定する心線固定部材３１を更に有し、ファイバ保持部１５は、心線固定部材３１が係合される係合部としての前方部係合突起１６ｃ及び係合凸条１８ａを備える。そのため、光ファイバ心線４２を容易に、かつ、正確にファイバ保持部１５の後方部１８に取付けることができる。
【００４９】
さらに、前方部係合突起１６ｃ及び係合凸条１８ａはファイバ保持部１５の両側に突出し、心線固定部材３１は、係合スリット３５及び係合凹溝３７が前方部係合突起１６ｃ及び係合凸条１８ａに係合され、光ファイバ心線４２を後方部１８の上面に押付ける。そのため、光ファイバ心線４２は、ファイバ保持部１５の筒状部３２の天板によって、全体的に均一に後方部１８に対して押付けられた状態となり、安定的に固定される。
【００５０】
さらに、心線固定部材３１は、固定プレート２１の上面に係合する係合突起としての係合舌部３３を備える。そのため、固定プレート２１は、心線固定部材３１によって動きが規制され、レンズホルダ１１から外れることがない。
【００５１】
なお、本発明は前記実施の形態に限定されるものではなく、本発明の趣旨に基づいて種々変形させることが可能であり、それらを本発明の範囲から排除するものではない。
【図面の簡単な説明】
【００５２】
【図１】本発明の実施の形態における光コネクタを示す斜視図である。
【図２】本発明の実施の形態における光コネクタのレンズホルダを示す斜視図である。
【図３】本発明の実施の形態における光コネクタのレンズホルダを示す六面図である。
【図４】本発明の実施の形態における光コネクタのレンズホルダに光ファイバアレイを取付けた状態を示す斜視図である。
【図５】本発明の実施の形態における光コネクタの固定プレートを示す六面図である。
【図６】本発明の実施の形態における光コネクタのレンズホルダに固定プレートを取付ける動作を示す第１の斜視図である。
【図７】本発明の実施の形態における光コネクタのレンズホルダに固定プレートを取付ける動作を示す第２の斜視図である。
【図８】本発明の実施の形態における光コネクタの心線固定部材を示す六面図である。
【図９】本発明の実施の形態における光コネクタのレンズホルダに心線固定部材を取付ける動作を示す第１の斜視図である。
【図１０】本発明の実施の形態における光コネクタのレンズホルダに心線固定部材を取付ける動作を示す第２の斜視図である。
【図１１】従来の光コネクタを示す斜視図である。
【符号の説明】
【００５３】
１０、３０１    光コネクタ
１１    レンズホルダ
１２    ホルダ本体部
１２ａ    本体前方部
１３、３１１    レンズアレイ
１３ａ    レンズ
１４ａ、３０７    ガイドピン
１４ｂ、３０８    ガイド孔
１５    ファイバ保持部
１６    前方部
１６ａ    位置規制部
１６ｂ    ファイバ収容溝
１６ｃ    前方部係合突起
１７    嵌合部
１７ａ    天板部
１７ｂ、２３ａ、３４    側板部
１７ｃ    嵌入孔
１８    後方部
１８ａ    係合凸条
２１    固定プレート
２２    前半部
２２ａ    テーパ面
２３    後半部
２３ｂ    係合凹部
３１    心線固定部材
３２    筒状部
３３    係合舌部
３５    係合スリット
３６    下板部
３７    係合凹溝
３８    心線収容溝
４１、３０４    光ファイバアレイ
４２    光ファイバ心線
４３、３０６    光ファイバ
３０２    クリップ部材
３０３    光コネクタ用レンズアレイ
３０５    コネクタボディ
３１０    ピン保持部
【図１】
0004761863.tif 000002
【図２】
0004761863.tif 000003
【図３】
0004761863.tif 000004
【図４】
0004761863.tif 000005
【図５】
0004761863.tif 000006
【図６】
0004761863.tif 000007
【図７】
0004761863.tif 000008
【図８】
0004761863.tif 000009
【図９】
0004761863.tif 000010
【図１０】
0004761863.tif 000011
【図１１】
0004761863.tif 000012